(57)【要約】【課題】天井面からの出代の少ない薄型にでき、発光するランプから発生して上昇する熱によって天井面が損傷する恐れも回避できる照明器具を提供する。【解決手段】点灯装置１５ａや電源接続部１５ｂと共に天井裏２に配置する器具本体４と、天井開口２５に臨む器具本体４の下面開口４ａを覆って天井面３ａより下方位置に位置するカバー体５とを備える。器具本体４側に装着した平面ランプ６ａを、平面視で器具本体４の下面開口４ａ内に収めると共に天井面３ａと略平行で且つ天井面３ａより下方位置に位置するように配置する。【選択図】図１
2008204737.tif 000002
【特許請求の範囲】
【請求項１】
点灯装置や電源接続部と共に天井裏に配置する器具本体と、天井開口に臨む器具本体の下面開口を覆って天井面より下方位置に位置するカバー体とを備え、器具本体側に装着した平面ランプを、平面視で器具本体の下面開口内に収めると共に天井面と略平行で且つ天井面より下方位置に位置するように配置したことを特徴とする照明器具。
【請求項２】
カバー体のカバー内空間を器具本体の本体内空間よりも小さく形成したことを特徴とする請求項１記載の照明器具。
【発明の詳細な説明】
【技術分野】
【０００１】
本発明は、照明器具に関するものである。
【背景技術】
【０００２】
照明器具１としては、図７（ａ）のように天井材３に直接取り付けるタイプや、図７（ｂ）のように天井裏２に埋設されるタイプが一般に知られている。図７（ａ）のタイプの照明器具１では、図７（ｂ）のタイプの照明器具１のようにランプ６や点灯装置や電源接続部等の機器１５が天井裏２に配置されないため、天井面３ａからの出代が大きくなってコンパクト化できないのであり、一方、図７（ｂ）のタイプの照明器具１では器具本体４内のランプ６が天井裏２に配置されるから天井面３ａに光を照射して明るくすることができない、という問題を有している。したがって、両者の利点を備えるように、図７（ｃ）のようにランプ６を天井面３ａより下方に位置させ、その他の部位を天井裏２に配置させるタイプの照明器具１も開発されるに至っている（たとえば特許文献１参照）。
【０００３】
しかしながら、図７（ｃ）の照明器具１は、平面視でランプ６を天井面３ａの下方に位置させているから、発光するランプ６から発生して上昇する熱によって天井面３ａが損傷する恐れを有するものであった。
【特許文献１】特開昭５８−４２０４号公報
【発明の開示】
【発明が解決しようとする課題】
【０００４】
本発明は上記の点に鑑みてなされたものであり、その目的とするところは、天井面からの出代の少ない薄型にでき、発光するランプから発生して上昇する熱によって天井面が損傷する恐れも回避できる照明器具を提供することを課題とするものである。
【課題を解決するための手段】
【０００５】
上記課題を解決するために請求項１に係る照明器具にあっては、点灯装置１５ａや電源接続部１５ｂと共に天井裏２に配置する器具本体４と、天井開口２５に臨む器具本体４の下面開口４ａを覆って天井面３ａより下方位置に位置するカバー体５とを備え、器具本体４側に装着した平面ランプ６ａを、平面視で器具本体４の下面開口４ａ内に収めると共に天井面３ａと略平行で且つ天井面３ａより下方位置に位置するように配置したことを特徴とする。これによると、点灯装置１５ａや電源接続部１５ｂと共に器具本体４を天井裏２に配置し、天井面３ａより下方位置には平面ランプ６ａやカバー体５を配置したので、天井面３ａを明るく照らすことができながら照明器具１を天井面３ａからの出代の少ない薄型にできるのであり、また、平面ランプ６ａは平面視で器具本体４の下面開口４ａ内に収まるように配置されるから、発光する平面ランプ６ａから発生して上昇する熱によって天井面３ａが損傷する恐れも回避できる。
【０００６】
また、請求項２に係る照明器具にあっては、請求項１において、カバー体５のカバー内空間５ａを器具本体４の本体内空間４ｄよりも小さく形成したことを特徴とする。これによると、天井面３ａより下方に位置するカバー内空間５ａを比較的小さくできるから、天井面３ａからの出代の少ない薄型の照明器具１を得ることができる。
【発明の効果】
【０００７】
本発明にあっては、照明器具を、天井面を明るく照らすことを可能にしつつも天井面からの出代の少ない薄型にできると共に、発光するランプから発生して上昇する熱によって天井面が損傷する恐れも回避できる、という利点を有する。
【発明を実施するための最良の形態】
【０００８】
以下、本発明を添付図面に示す実施形態に基いて説明する。
【０００９】
図１乃至図５に示す本例の照明器具１は、ランプ６を天井面３ａより下方に位置させ、その他の部位を天井裏２に配置させる埋込みシーリング型照明器具と称するものであり、図２（ａ）や図３のように、円筒状に形成されて天井材３に取り付ける器具本体４、点灯装置１５ａなどの機器１５が装着されると共にその一部が器具本体４の天面を構成する天板セット７、器具本体４側に取り付けたランプ６を覆うカバー体５を有している。なお、ランプ６には後に詳述するように平面ランプ６ａが用いられている。
【００１０】
器具本体４は下面開口４ａを有した有底筒状に形成されており、下面開口４ａの縁部には側外方へ突出するフランジ部８が形成されており、有底筒状の底面となる器具本体４の天面部４ｂには切欠孔状の挿通孔９（図６参照）が穿設されており、有底筒状の側面となる器具本体４の周面部４ｃには器具本体４を天井面３ａに取り付けるための本体取付部１０や、カバー体５を器具本体４に取り付けるためのカバー取付部１１が設けられている。ここで、本体取付部１０は、図２（ｂ）のように、器具本体４に枢支されて周面部４ｃの内外に突出可能にされる枢支脚１０ａを有して構成されている。なお、本例の本体取付部１０は器具本体４の側面の対向位置に一対設けられているが、その設置数は任意でかまわない。また、カバー取付部１１はカバー体５の取付用バネ材２４を係止する一対の係止爪１１ａを有して構成されている。
【００１１】
天板セット７は主体となる基板１２を有し、この基板１２は、挿通孔９を塞いで器具本体４の天面部４ｂにビス等の固定具４２（図６参照）で固定する本体天板部１３と、安定器等を備えてランプ６を点灯させる点灯装置１５ａや外部電源に接続して電気を取り込む電源接続部１５ｂなどの機器１５を吊持する機器取付板部１４とで構成されている。機器取付板部１４の一端は本体天板部１３の一端に上下に回動自在に枢支されており（図中１２ａが枢支部）、機器取付板部１４の他端には天井材３に載せるように接地させる接地脚１６が形成されている。本体天板部１３にはランプ吊持部材１７が垂設されている。ランプ吊持部材１７は一対の脚部１８の下端に架設した吊架板部１９を有し、吊架板部１９のの下面の両端部には平面ランプ６ａの一対の口金３１を接続させる一対のランプソケット２０が取り付けられている。つまり吊架板部１９の下方部位が平面ランプ６ａを着脱自在に取付けるランプ配設部２１となっている。なお、本例では点灯装置１５ａ側に近接して位置するランプソケット２０が高圧側のソケットとされている。
【００１２】
カバー体５は、円盤状の底面部２２ａの外周から側面部２２ｂを上方に突出させた透光カバー２２を有し、透光カバー２２の側面部の上端部が環状枠の周枠部２３に取り付けられており、この周枠部２３には一対の取付用バネ材２４が上方に突出可能に取り付けられている。ここで、カバー体５は、透光カバー２２や周枠部２３で囲まれるカバー内空間５ａが器具本体４の本体内空間４ｄよりも充分小さくなるような寸法設定に設計されている。また、カバー体５を器具本体４の下面開口４ａを塞ぐように取り付けた際には、器具本体４の係止爪１１ａに取付用バネ材２４を係止させた際に上方への付勢力を発生させることで、周枠部２３の上面を器具本体４のフランジ部８の下面に隙間無く弾接させ、照明器具１内への虫等の侵入が防止できるようにされる。また、本例では取付用バネ材２４は周枠部２３の対向位置に一対設けられており、これを係止するカバー取付部１１も器具本体４の内周面（周面部４ｃの内周部分）の対向位置に一対設けられている。
【００１３】
本例のランプ６に用いられる平面ランプ６ａは、図４に示すように全体形状が略円盤状となるように平面視二重渦巻状に形成した発光管３０と、発光管３０の長さ方向の両端部に設けた口金３１を備えた蛍光ランプ３２からなり、各口金３１を対応するランプソケット２０に電気的に接続することでランプソケット２０を介して点灯装置１５ａに電気的に接続される。
【００１４】
発光管３０は平面内で長さ方向の中間部を中心にして長さ方向の両側部分を同一方向の渦巻状に巻回することで二重渦巻状に形成したものであり、このように発光管３０を薄型の平面状で且つ二重渦巻状に形成することで、平面視で中央部を含めた面全体が平面状に面発光する平面ランプ６ａを構成することができ、従来の環状の発光管３０を有する丸型ランプ６ｂと比較して小形で且つ高い出力照度を確保したランプ６とすることができる。また上記二重渦巻の中心となる発光管３０の長さ方向の中間部は他部よりも太く形成してあり、その一部が平面ランプ６ａの片面側に突出している。この突出部分３０ａは発光管３０の最冷点となるもので、これにより平面ランプ６ａの安定した発光を実現できる。
【００１５】
発光管３０に設けた一対の口金３１は平面視で二重渦巻状の発光管３０の中心を中心として点対称の位置に配置してある。各口金３１と該口金３１の内側に位置する発光管３０の長さ方向の一部の間、及び発光管３０の長さ方向の一部と同部の内側に位置する発光管３０の長さ方向の一部の間には充填材３３を充填してあり、また一対の口金３１同士は平面ランプ６ａの一方の面側（上側）に配置したブリッジ３４により連結してあり、これら充填材３３及びブリッジ３４により二重渦巻状の平面ランプ６ａの変形が防止されている。また前記各口金３１と発光管３０の間及び発光管３０間に設けた充填材３３はブリッジ３４の平面ランプ６ａ側の面上（下面）に設けてあって平面視でブリッジ３４と重複しているため、充填材３３及びブリッジ３４によって発光管３０が塞がれる面積が小さく光のロスが少ない。
【００１６】
各口金３１の端面には平行な２本のランプピン３５を平面ランプ６ａの面（平面）と平行に突設してある。詳しくは、一方の口金３１に設けたランプピン３５の突出方向と他方の口金３１に設けたランプピン３５の突出方向は逆方向となっている。各口金３１の一対のランプピン３５は円形となった口金３１の端面の中央部から突出し、平面状に発光する平面ランプ６ａの面（平面）に対して直交する方向に並設されている。
【００１７】
ランプソケット２０は、吊架板部１９に対して固定されるソケット本体３６と、ソケット本体３６に形成した口金３１側に開口する円筒状の保持部３７の内側に回動可能に収納した断面略Ｃ字状の回動体３８が回動可能に収納されている。回動体３８の周方向の端部には保持部３７の前側の壁部に形成した切欠３９を介して突出する操作レバー４０を設けている。また回動体３８の内面には一対の接触子（図示せず）を固設している。
【００１８】
平面ランプ６ａは、図１のように、平面視でその中心を器具本体４の中心に位置させるように下方からランプ配設部２１に挿入位置させ、平面ランプ６ａの口金３１に設けたランプピン３５を平面ランプ６ａと同平面内に配置されたランプソケット２０に電気的・機械的に接続すると共に発光管３０又は口金３１をランプ支持ばね４１に支持させることで、器具本体４側であるランプ吊持部材１７に取り付けられる。
【００１９】
詳しくは、各ランプソケット２０に平面ランプ６ａを接続するには、図５（ａ）のようにＣ字状の回動体３８を下方に向けて開口させた状態で、平面ランプ６ａを各口金３１の一対のランプピン３５を回動体３８内に挿入し（この場合、同時にランプ支持ばね４１で仮支持する）、その後、図５（ｂ）のように操作レバー４０を操作して各回動体３８を回動することで、各回動体３８に設けた一対の接触子で一対のランプピン３５が保持されると共に該一対の接触子と一対のランプピン３５とが電気的に接続される。これにより、平面ランプ６ａとランプソケット２０とは平面ランプ６ａの面（平面）内で接続されることとなる。なお、各ランプソケット２０と平面ランプ６ａの接続を解除するには、上記と逆の操作をする。
【００２０】
図１には照明器具１の天井材３への配設構造を示す。照明器具１を天井に取り付けるには、天井開口２５の下方から天井裏２に向けて器具本体４に固定した基板１２の機器取付板部１４から挿入し、続けて、枢支脚１０ａを操作して枢支脚１０ａを器具本体４の周面部４ｃの外方に非突出状態にした上で器具本体４を天井開口２５に挿入し、器具本体４のフランジ部８をパッキン４３（図５参照）を介して天井材３の下面（天井面３ａ）に当接させると共に、枢支脚１０ａを操作して枢支脚１０ａを器具本体４の周面部４ｃの外方に突出状態にして天井材３の天井開口２５の縁部の上面に載せるように当接させる。これにより、フランジ部８と枢支脚１０ａとで天井材３が上下に挟まれて天井材３に照明器具１が固定される（図２（ｂ））。ここで、機器取付板部１４は本体天板部１３に枢支されているので、天井裏２の高さ代が低い場合にも照明器具１の取り付けを可能にしている。また、器具本体４の天面と側面との角部には外周側ほど低位置になる凹み部４ｅが形成されているが、これによっても天井裏２の高さ代が低い場合の照明器具１の取り付けを可能にしている。また、枢支脚１０ａは器具本体４に対して上下に移動可能にされており、枢支脚１０ａの器具本体４に対する上下位置を調節することで厚みの異なる天井材３にも照明器具１を取り付け可能にしてある。また、機器取付板部１４の接地脚１６は天井材３に載せるように接地されるので、機器取付板部１４に装着した機器１５の荷重を天井材３にて支持させることが可能にされ、照明器具１の天井材３への安定的な配設を可能にしている。
【００２１】
この後、叙述のようにランプ配設部２１にランプソケット２０を介して平面ランプ６ａを配設し、カバー体５の装着を行うことで、図１のように照明器具１が天井材３に配設されるのである。ここで、ランプ配設部２１は天井面３ａよりも下方位置に位置されるようになっている。しかして、ランプ配設部２１に配設した平面ランプ６ａは天井面３ａより下方位置に位置するようになる。詳しくは、平面ランプ６ａは天井面３ａに臨んで位置する器具本体４の下面開口４ａよりやや下方位置に天井面３ａに略平行となる状態に配置される。そして、この平面ランプ６ａはカバー体５により側方及び下方が覆われるのであり、つまりランプ６はカバー内空間５ａ内に位置するようになったランプ配設部２１に配設されることとなる。また、平面ランプ６ａは、その最大外径が器具本体４の周面部４ｃの内径よりも小さく形成されたものが用いられ、つまり平面視で器具本体４の下面開口４ａ内に収まるように配置されるのである。
【００２２】
このように本例の照明器具１にあっては、図１（ａ）のように、点灯装置１５ａや電源接続部１５ｂと共に器具本体４を天井裏２に配置し、天井面３ａより下方位置には平面ランプ６ａやカバー体５を配置しているので、天井面３ａを明るく照らすことができながら照明器具１を天井面３ａからの出代の少ない薄型にできるのであり、また、図１（ｂ）のように、平面ランプ６ａは平面視で器具本体４の下面開口４ａ内に収まるように配置されるから、発光する平面ランプ６ａから発生して上昇する熱によって天井面３ａが損傷する恐れも回避できるようにされている。
【００２３】
更に言うと、本例の平面内で渦巻き状にされた発光管３０から成る平面ランプ６ａは、図７（ｃ）の従来技術にある環状にされた発光管３０から成る丸型ランプ６ｂに比べて、ランプ配設部２１の平面面積内に密度高く発光管３０を位置させることができるのであるから、ランプ設置可能面積であるランプ配設部２１を有効に利用して照明器具１の出力照度の大幅な向上が可能となっている。上記のように本例の照明器具１は、天井面３ａの下方にランプ６を位置させずにランプ６の熱による天井の損傷の回避を図ったものであるから、つまり、ランプ配設部２１には器具本体４の下面開口４ａの面積よりも小さくならなければならないという制限が課せられるのであるが、ランプ６に平面ランプ６ａを用いたことによって、制限が課せられるランプ配設部２１においても効率よく比較的強い出力照度を確保できる、という利点も有するのである。
【００２４】
また、本例の照明器具１にあっては、図１（ｂ）のように、平面視で、ランプソケット２０、本体取付部１０及びカバー取付部１１が重ならないように、器具本体４の周方向にずらして器具本体４の内周面に沿って配置してある。これにより、ランプソケット２０、本体取付部１０及びカバー取付部１１への各作業が下方から支障なく（互いの部材に邪魔されることなく）行うことができるようにされている。ここで、平面ランプ６ａは最大径部に口金３１が位置するように外径が周方向で異なるように形成されている。詳しくは、平面ランプ６ａの外径は、口金３１が位置する最大径部から発光管３０の中心への巻回方向にいくにつれて徐々に小さくなるように形成されている。器具本体４は真円状の内周面を有するから、平面視で、平面ランプ６ａの口金３１が位置する最大径部は器具本体４の内周面に近接するのであり、平面ランプ６ａのその余の外径部位では器具本体４の内周面との間に比較的幅広い隙間幅を有した隙間Ｓが介在されるようになる。
【００２５】
つまり、平面視で器具本体４の内周面における平面ランプ６ａの最大径部への近接域２６にはランプソケット２０が配設されている。そして、上述のように平面視でランプソケット２０から周方向にずれた位置に配設される本体取付部１０及びカバー取付部１１は、器具本体４の内周面における平面ランプ６ａの最大径部への非近接域２７に配設されることとなる。すなわち、本体取付部１０及びカバー取付部１１は、上記平面視で平面ランプ６ａとの間に隙間Ｓが介在する器具本体４の内周面の部位（非近接域２７）に配設されることとなるのであり、上記比較的幅広い隙間幅の隙間Ｓを作業スペースとして利用できるから、本体取付部１０及びカバー取付部１１への作業性が高められている、という利点も有している。
【００２６】
図６には本発明の実施の形態の他例の照明器具１を示す。この例は基本的に先例の構造を踏襲しており、その一部の部品を変更している。以下では変更点を挙げて説明する。すなわち、本例では本体取付部１０を先例より１つ増やして３つ設けている。本体取付部１０は、器具本体４及び天板セット７の荷重バランスを鑑み、器具本体４の周面部４ｃにおいてその周方向に略等間隔に配設しているが、これに限られることはない。また、先例の吊架板部１９が平面ランプ６ａの上方全てを覆うような円盤状板１９ａで構成されていたのに対して、本例の吊架板部１９は平面ランプ６ａのブリッジ３４の上方を覆うような矩形状板１９ｂで構成されている。また、先例の取付用バネ材２４は一対の有端線部２８を周枠部２３から突設したような略Ｖ形状のバネ材２４ａによって構成されていたのに対して、本例の取付用バネ材２４はループ状の無端線部２９を周枠部２３から突設したような略Ω形状のバネ材２４ｂによって構成されている。本例の取付用バネ材２４はその上端部に取付用バネ材２４を下方から一対の係止爪１１ａ間にスムーズに挿入して係止させ得る山形状のガイド部２９ａが形成されており、カバー体５の器具本体４への取付作業の容易化が図られている。本例の照明器具１は先例と比べて上記変更点はあるものの微差であって、斜視図は図２（ａ）と略同様になると共に照明器具１を天井に配設した状態は図１と略同様になり、先例で述べた利点（天井面の熱による損傷の防止等）を同様に備えているのは言うまでもない。
【図面の簡単な説明】
【００２７】
【図１】本発明の実施の形態の例の照明器具を天井に配設した状態を示すものであり、（ａ）は側断面図であり、（ｂ）は（ａ）におけるカバー体を外した状態の下面図である。
【図２】（ａ）は同上の照明器具の斜視図であり、（ｂ）はカバー体を外した照明器具を天井に配設した状態の要部の側面図である。
【図３】同上の照明器具の分解斜視図である。
【図４】同上の平面ランプであり、（ａ）は側面図であり、（ｂ）は下面図である。
【図５】同上のランプソケットへの平面ランプの取り付けを説明する説明図であり、（ａ）はランプソケットへの平面ランプの取り付け直前の状態の斜視図であり、（ｂ）は平面ランプを取り付け可能にした状態のランプソケットの斜視図である。
【図６】本発明の実施の形態の他例における照明器具であって、（ａ）は斜め上方から見た分解斜視図であり、（ｂ）は斜め下方から見た分解斜視図である。
【図７】従来技術を説明する説明図であり、（ａ）は従来技術の一例の側断面図であり、（ｂ）は従来技術の他例の側断面図であり、（ｃ）は従来技術の更に他例の側断面図である。
【符号の説明】
【００２８】
１  照明器具
２  天井裏
３  天井材
３ａ  天井面
４  器具本体
４ａ  下面開口
４ｄ  本体内空間
５  カバー体
５ａ  カバー内空間
６ａ  平面ランプ
１５ａ  点灯装置
１５ｂ  電源接続部
２５  天井開口
【図１】
2008204737.tif 000003
【図２】
2008204737.tif 000004
【図３】
2008204737.tif 000005
【図４】
2008204737.tif 000006
【図５】
2008204737.tif 000007
【図６】
2008204737.tif 000008
【図７】
2008204737.tif 000009